(57)【要約】      （修正有）【課題】構造が精密、機能が多い、取り扱い便利な多機能フラッシュライトスピーカーを提供する。【解決手段】電発光体、外殻、スイッチ、電池、マイク、回路基板、音量調節器及び拡声器を含めます。外殻の前部には外音筒を設置して、拡声器の外音筒根部の内側が反射筒に真正面向かって、内音筒は、外音筒底部を伸ばして、拡声器でしっかり抑えて、電発光体は反射筒の前端に設置します。スピーカーはスピーカーの汎用機能を持つだけではなく同時に照明、音光警報、ラジオなどの機能も持ちます。使用者が各種の場所と夜などの光線の不足場所で取扱できます。そして電池、回路の基板、各種のスイッチ、音量調節器、ラジオ、蚊取り器などの部品は左殻と右殻の間に設置して、部品を左殻と右殻に取り付ければいいです。左殻と右殻は細長い形の構造ですから、取り付けやすいし、生産効率も高いです。【選択図】図１
0003115945.tif 000002
【実用新案登録請求の範囲】
【請求項１】
多機能フラッシュライトスピーカーは電発光体、外殻、スイッチ、電池、マイク、回路基板、音量調節器及び拡声器を含めます。その特徴は外殻の前部には外音筒を設置して、拡声器の外音筒根部の内側が反射筒に真正面向かって、内音筒は外音筒底部を伸ばして、拡声器でしっかり抑えて、電発光体は反射筒の前端に設置します。その電発光体はソケットに取り付けて、ソケットの中穴を伸ばしたねじはソケットと電発光体を反射筒の前端に固定します。
【請求項２】
請求項１による、その多機能強光スピーカーの特徴はその外殻は左殻と右殻及び電池蓋から組み合わせて、左殻と右殻前部内側に外音筒根部の周りの環状ゴムひもと整合する槽を設置して、左殻と右殻を合わせてねじで連続する時、その槽が環状ゴムひもを挟んで、外音筒を左殻と右殻前端の中間に固定します。その電発光体は発光ダイオードです。
【請求項３】
請求項１或いは２による、その多機能強光スピーカーの特徴はその拡声器と反射筒との間に内音筒を設置して、内音筒は拡声器でしっかり抑えて、外音筒の後端の中間に固定します。その外殻の中にまたラジオ、警報器、蚊取り器があって、そのラジオの音量ドアノブは外殻の外へ伸ばします。
【考案の詳細な説明】
【技術分野】
【０００１】
当実用新案は手に持つスピーカーに関連して、特に多機能フラッシュライトスピーカーに関連します。
【背景技術】
【０００２】
いまのスピーカーは前外殻、後外殻、拡声器、電源、ピックアップ・カートリッジ（マイク）、増幅回路、スイッチと音量調節器を含めます。前外殻はラッパ形のラッパ筒で、その中には音を反射する反響筒があります。外殻に設置したマイクは音のピックアップに用いて、人の口がマイクに対して呼びかける時、音波が電子信号に変えて増幅回路を通して大きくした後、拡声器に提供して音波に復して、音波が再び反響筒を通して反射した後にラッパ形の前部から出します。その前外殻と後外殻はねじで連続します。いまのスピーカーは機能単一、取扱不便などの問題だけではなく、スピーカー、電源、増幅回路、スイッチと音量調節器など後外殻に設置して、取り付けにくいです。1992年12月30日に公開した中国の特許公告号がCN2126493Uで、「パソコン自動スピーカー」を公開しました。ピックアップ・カートリッジ、電源、パワー増幅器、拡声器と演算増幅器、言語のプロセッサー、記憶装置、録画・再生ハンドルを含めます。ピックアップ・カートリッジが演算増幅器と接続して、演算増幅器が言語のプロセッサーと接続して、言語のプロセッサーが再び記憶装置と接続して、録画・再生ハンドルが言語のプロセッサーと接続して、演算増幅器がまたパワー増幅器と接続して、パワー増幅器が拡声器と接続して、電源が別々にパワー増幅器、演算増幅器、言語のプロセッサー及び記憶装置と接続します。
【特許文献１】中華人民共和国特許公告第CN2126493U号
【考案の開示】
【考案が解決しようとする課題】
【０００３】
当実用新案は機能単一、取り付けにくい、携帯、取扱不便などの問題を解決するために、構造が簡単、機能が多い、取扱便利な多機能フラッシュライトスピーカーを提供します。
【課題を解決するための手段】
【０００４】
多機能フラッシュライトスピーカーは電発光体、外殻、スイッチ、電池、、マイク、回路基板、音量調節器及び拡声器を含めて、その外殻の前部には外音筒を設置して、拡声器の外音筒根部の内側が反射筒に真正面向かって、内音筒は外音筒底部を伸ばして、拡声器でしっかり抑えて、電発光体は反射筒の前端に設置します。
【０００５】
その多機能フラッシュライトスピーカーの外殻は左殻と右殻及び電池蓋から組み合わせて、左殻と右殻前部内側に外音筒根部の周りの環状ゴムひもと整合する槽を設置して、そして外音筒を左殻と右殻前部の中間に固定します。その電発光体はソケットに取り付けて、ソケットの中穴を伸ばしたねじはソケットと電発光体を反射筒の前端に固定します。
【０００６】
その拡声器と反射筒との間に内音筒を設置して、内音筒は拡声器でしっかり抑えて外音筒の後部の中間に固定します。内音筒は拡声器の音波を反射筒の底部へ引きます。
【０００７】
その外殻の中にまたラジオ、警報器、蚊取り器があって、そのラジオの音量ドアノブ部分が外殻の外へ伸ばして、その電発光器は発光ダイオードです。
【考案の効果】
【０００８】
当実用新案が提供する技術方案を採用して、今のスピーカーはスピーカーの汎用機能を持つだけではなく、同時に照明、音光警報、ラジオなどの機能も持ちます。使用者が各種の場所と夜などの光線の不足場所で取扱できます。そして電池、回路の基板、各種のスイッチ、音量調節器、ラジオ、蚊取り器などの部品は左殻と右殻の間に設置して、部品を左殻と右殻に取り付ければいいです。左殻と右殻は細長い形の構造ですから、取り付けやすいし、生産効率も高いです。
【考案を実施するための最良の形態】
【０００９】
図１は当実用新案が提供する多機能フラッシュライトスピーカーの実行例の構造説明図です。図１、図２、図３を結合して見ると、多機能フラッシュライトスピーカーは外音筒２、左殻４、右殻２０及び電池蓋１３など、外音筒２と反射筒２０１との間にゴムひも２３で連続します。若干粒の超高輝度発光ダイオード１はソケット２１の上に取り付けて、ソケットを反射筒の前端に固定します。内音筒３は外音筒２の底部の中間に横切って、拡声器１９は外音筒２の後に取り付けて内音筒３をしっかり抑えます。外音筒２のゴムひも２０２を左殻４と右殻２０の内側の槽に真正面向かって、左殻４と右殻２０を組み合わせてねじで外音筒２を固定します。外殻上の中間に照明スイッチ５及び拡音スイッチ６を設置して、別々に照明回路及び拡音回路をコントロールします。外殻後部分に作業指示ランプ８を設置して、多機能フラッシュライトスピーカーの全ての機能スイッチが連続状態の時、作業指示ランプ８が明けて、電圧が一般の時、電源指示ランプの色は緑で、電圧が低い時、電源指示ランプの色は赤いです。外殻の後端にマイク１０を設置して、拡音スイッチ６を押すとマイクに向かって話す時、音声の信号は増幅回路を通して信号を大きくして、拡声器１９を通して音を放送します。音波が内音筒３を通して反射筒２０１に伝えて、そして外音筒２の根部に反射して、それから外へ反射します。外殻下端中部に蚊取りスイッチ１７を設置します。蚊取りスイッチ１７が開けると、蚊取り回路の電源を繋いで、蚊取り剤が特定周波の信号を出して、蚊取りの機能を達成できます。右殻２０の下の後端に吊縄柱があって，吊縄１５は吊縄柱に掛けます。左殻４前端中間に警報スイッチ１８を設置して、警報スイッチ１８を押すと、警報スイッチ１８を閉じるまで、警報の音或いは信号を出します。左殻中間に音量調節器ドアノブ７及び関連マークを設置して、拡音の時、適当な拡音の割合まで調節できます。左殻２０の後端の上にラジオスイッチ９を設置して、電源スイッチを押すと放送を聴きます。順序に放送局を選んで、戻るスイッチを押すと自動的に受け取れる最初のチャンネルに戻ります。外殻の中に回路基板１１を設置して、左殻と右殻で挟みます。回路基板１１の下に電池箱を設置して、電池箱の中に四つの電池１２を取り付けます。電池箱の後は電池蓋１３で、電池蓋１３の二つの縁に掛け金を設置して、左殻と右殻の二つの縁の下に長い穴があって、掛け金を被せて、掛け金が長い穴の上端に滑て、外殻に挟まって、掛け金が長い穴の下端に滑て、挟まる所から離れて、電池蓋１３を回転して開けることができます。外殻の後端の下に電池蓋の錠１４を設置して、電池蓋１３が突然に開けることを防ぐためにスプリングで電池蓋１３を支えます。電池を交換する時、必ず電池蓋の錠１４を前に動かして電池蓋１３を挟まる所から離れて、電池蓋１３を下へ動かして、回転開けます。
当実行例の電発光体は発光ダイオードです。
【図面の簡単な説明】
【００１０】
【図１】本考案の多機能拡声器の部分断面図である。
【図２】本考案の多機能拡声器の平面図である。
【図３】本考案の多機能拡声器の正面図である。
【符号の説明】
【００１１】
１      発光ダイオード
２      外音筒
２０１  反射筒
３      内音筒
２３    ゴムひも
２０２  ゴムひも
４      左殻
５      照明スイッチ
６      拡音スイッチ
７      音量ドアノブ
９      ラジオスイッチ
１０    マイク
１１    回路基板
１２    電池
１３    電池蓋
１４    蓋の錠
１５    吊縄
１６    蚊取り剤
１７    蚊取りスイッチ
１８    警報スイッチ
１９    拡声器
２０    右殻
２１    ソケット
２０３  ねじ穴
【図１】
0003115945.tif 000003
【図２】
0003115945.tif 000004
【図３】
0003115945.tif 000005
【手続補正書】
【提出日】平成17年8月29日(2005.8.29)
【手続補正１】
【補正対象書類名】実用新案登録請求の範囲
【補正対象項目名】全文
【補正方法】変更
【補正の内容】
【実用新案登録請求の範囲】
【請求項１】
電発光体、外殻、スイッチ、電池、マイク、回路基板、音量調節器及び拡声器を含む多機能フラッシュライトスピーカーにおいて、
前記外殻の前部に外音筒が設置され、
前記外音筒の内側に反射筒が設置され、
前記外音筒根部の内側が反射筒に向かってその底部を伸ばし内音筒を形成し、
前記拡声器が、内音筒をおさえ、
前記反射筒の前端に電発光体が設置され、
前記電発光体が、ソケットに取り付けられ、
前記ソケット及び電発光体が反射筒の前端にねじで固定されることを特徴とする、
多機能フラッシュライトスピーカー。
【請求項２】
前記外殻が、左殻、右殻、及び電池蓋から組み合わされ、
前記左殻及び右殻の内側に、外音筒根部周囲の環状ゴムひもと整合する槽が設置され、
前記左殻及び右殻がねじ接続され、前記槽が環状ゴムひもを挟み、
前記外音筒が、左殻及び右殻の中間に固定され、
前記電発光体が発光ダイオードであることを特徴とする、
請求項１に記載の多機能フラッシュライトスピーカー。
【請求項３】
前記拡声器と反射筒との間に、内音筒が設置され、
前記内音筒が拡声器でおさえられ、外音筒の後端の中間に固定され、
前記外殻内に、ラジオ、警報器及び蚊取り器が設けられ、
前記ラジオの音量ドアノブが外殻の外に伸ばされることを特徴とする、
請求項１又は２に記載の多機能フラッシュライトスピーカー。